(57)【特許請求の範囲】
【請求項１】
蓋の取っ手に係止可能な係止部と自立時に自立状態を保持するための脚部とを有する本体と、
前記本体の背部の中央に設けられかつ前記自立時に前記自立状態の保持に寄与する脚部として機能し、把持しやすいハンドル形状を有する把持部と、
から成ることを特徴とする自立型蓋掴み。
【請求項２】
前記本体は長形のプレート形状を有し、前記本体の一方の端部に前記係止部が設けられ、前記本体の他方の端部に前記脚部が設けられることを特徴とする請求項１記載の自立型蓋掴み。
【請求項３】
前記本体の係止部は、前記取っ手の形態に応じて、凹所部または突起部であることを特徴とする請求項１または２記載の自立型蓋掴み。
【請求項４】
前記本体は長形の形状を有し、前記本体の一方の端部は前記凹所部が設けられると共に前記脚部として機能し、前記本体の他方の端部は前記突起部が設けられると共に前記脚部として機能することを特徴とする請求項３記載の自立型蓋掴み。
【請求項５】
前記自立状態は前記本体の前記脚部と前記把持部の前記脚部として機能する部分とによって保持され、前記自立状態によって、前記蓋は、前記本体の前記係止部に前記取っ手を係止したまま縦置き状態にて置かれることを特徴とする請求項１〜４のいずれか１項に記載の自立型蓋掴み。
【請求項６】
前記係止部は前記本体に対して着脱自在に設けられる構造を有し、前記蓋の前記取っ手の形または大きさに応じて前記係止部を任意に変更可能としたことを特徴とする請求項１記載の自立型蓋掴み。
【発明の詳細な説明】
【技術分野】
【０００１】
本発明は自立型蓋掴みに関し、特に、調理時等において重量のある鍋蓋等の取外しまたは取付けの作業負担を軽減するのに適した自立型蓋掴みに関するものである。
【背景技術】
【０００２】
従来、各家庭において、調理中に加熱した鍋等の蓋を取り外す目的で掴むための手段として、一般的にはミトンのごとく、鍋掴みに使用されるものが併用されている。ミトンは、二股の手袋形状を有し、素材には主に布地が用いられている。この従来の蓋掴みでは、特に、蓋の取っ手を掴むとき、当該取っ手から熱が指先に伝わるのを抑制することを目的としている。
【０００３】
また公知文献として従来から知られた蓋置き器具としては下記の引用文献１〜３に記載された器具が知られている。これらの蓋置き器具は、いずれも、鍋から取り外した蓋を、ほぼ水平状態または垂直状態で置くための器具にすぎず、蓋を支持するためのだけの形状および構造を有している。また蓋を自立させて縦置くための器具としては引用文献４に開示される調理器がある。この調理器は、電気加熱調理器であって、本体ケースと蓋をロック可能にするロック部材を有し、第１および第２の支持部によって、本体ケースと蓋をロックした状態でほぼ垂直に自立させて縦置くことができる。さらに引用文献５は、鍋蓋を掴み、その後当該鍋蓋を縦置くことのできる鍋蓋つまみを開示している。引用文献６は、鍋蓋取っ手スタンドを開示している。
【先行技術文献】
【特許文献】
【０００４】
【特許文献１】特開２０１１−１６１１８３号公報
【特許文献２】特開２００４−３２１７４５号公報
【特許文献３】特開平０９−２８５４０２号公報
【特許文献４】特開２０１３−２０８２０９号公報
【特許文献５】特開平１０−１２７５０６号公報
【特許文献６】実用新案登録３１１５２３０号公報
【発明の概要】
【発明が解決しようとする課題】
【０００５】
従来の鍋蓋の取外し・取付けの手段および蓋置きの手段については、次のような課題がある。
【０００６】
ミトンの場合には、手袋の一種であるので、使用時には調理者の両手に装着することが必要となる。調理中に鍋の加熱を複数回行う場合には、調理の際に蓋の取外し・取付けの行為を反復して行うことになり、ミトンの脱着を反復しなければならない。そのため、手間がかかり、非常に不便である。また鍋から蓋を取り外した後に、当該蓋を調理テーブル等の適当な場所に置かなければならならない。この観点で、ミトンは単に熱い鍋蓋を取り外すだけの手段として使用されるだけであり、取り外した鍋蓋の取扱い・管理にはまったく役に立っていないという問題がある。さらに使用時において、ミトンを手に装着した後、主に親指、人指し指、中指で蓋を持ち上げなければならないため、土鍋の蓋や鋳物の鍋等の重量のある鍋を掴む場合には、指の力が弱い人にとっては大きな労力を要することになる。ミトンで取り外した蓋は、通常、水平のままの姿勢で置かれるので、テーブル面にしずくが広範囲にたれる。さらに蓋をひっくり返して置くとき、あるいは、再度、蓋を鍋に配置するために持ち上げようとするときには、重量のある蓋は扱いづらく、状況によっては火傷のおそれがある。
【０００７】
また引用文献１〜３に開示される従来の蓋置き器具は、鍋等から取り外した蓋を単に置くための器具であり、鍋等から蓋を取り外すための構造および機能を有していない。引用文献５，６の機器は、鍋の蓋を取り外し、立てるための構成を有している。しかしながら、引用文献５の鍋蓋つまみは、蓋の取っ手をバネで弾性支持されたつまみ部でつまみ、その後、後端部に形成された脚部で蓋を立てるようにしている。この構成によれば、特に重量のある鍋蓋の場合には、高齢者や女性等には扱いづらく、蓋を取り外すことが困難となり、蓋を立てる場合にも非常に不安定になるという問題が提起される。さらに引用文献６の鍋蓋取っ手スタンドについても、同様に、構造および形状が使用しづらく、蓋を立てるスタンド構造も不安定である。
【０００８】
本発明の目的は、上記の課題に鑑み、調理を行う際に、特に重い鍋蓋の取外し・取付けの作業が簡単であり、さらに全体的な取扱いが容易でかつ作業負担が軽減され、取り外した蓋の安定した縦置きに利用することができ、使い勝手が良好かつ便利であり、実用性の高い自立型蓋掴みを提供することにある。
【課題を解決するための手段】
【０００９】
本発明に係る自立型蓋掴みは、上記の目的を達成するため、次のように構成される。
【００１０】
第１の自立型蓋掴み（請求項１に対応）は、蓋の取っ手に係止可能な係止部と自立時に自立状態を保持するための脚部とを有する本体と、本体の背部の中央に設けられかつ自立時に自立状態の保持に寄与する脚部として機能し、把持しやすいハンドル形状を有する把持部と、によって構成される。
【００１１】
上記の自立型蓋掴みでは、鍋の蓋の取っ手に引っ掛ける係止部を有する本体と、本体自身の自立機能、および本体の自立を支持する機能を有する把持しやすいハンドル形状の把持部とから構成され、加熱調理中に重量のある鍋蓋等を簡単に取り外せること、および、取り外した鍋蓋等をそのまま縦置きすることができ、使い勝手がよく、便利である。
【００１２】
第２の自立型蓋掴み（請求項２に対応）は、上記の構成において、好ましくは、本体は長形のプレート形状を有し、本体の一方の端部に係止部が設けられ、本体の他方の端部に脚部が設けられることを特徴とする。この構成によれば、本体自体に蓋を係止するための構造部分を有すると共に、蓋の縦置き時に縦置きを可能にする脚部としての機能を有している。
【００１３】
第３の自立型蓋掴み（請求項３に対応）は、上記の構成において、好ましくは、本体の係止部は、取っ手の形態に応じて、凹所部または突起部であることを特徴とする。鍋の蓋の取っ手の形状や構造は、鍋に応じて種々のものがあり、この自立型蓋掴みによれば、取っ手の形状が突起状または円弧等であるものに応じて係止部を用意することができる。
【００１４】
第４の自立型蓋掴み（請求項４に対応）は、上記の構成において、好ましくは、本体は長形の形状を有し、本体の一方の端部は凹所部が設けられると共に脚部として機能し、本体の他方の端部は突起部が設けられると共に脚部として機能することを特徴とする。この構成によれば、本体の両端部を利用して２種類の係止部を設けるようにしたため、突起状またはほぼ円弧等の形状を有する取っ手に対して１つの自立型蓋掴みで対応することができ、便利である。
【００１５】
第５の自立型蓋掴み（請求項５に対応）は、上記の構成において、好ましくは、自立状態は本体の脚部と把持部の脚部として機能する部分とによって保持され、自立状態によって、蓋は、本体の係止部に取っ手を係止したまま縦置き状態にて置かれることを特徴とする。
【００１６】
第６の自立型蓋掴み（請求項６に対応）は、上記の構成において、好ましくは、係止部は本体に対して着脱自在に設けられる構造を有し、蓋の取っ手の形または大きさに応じて係止部を任意に変更可能としたことを特徴とする。
【発明の効果】
【００１７】
本発明によれば、蓋を引っ掛ける係止部を備えた本体とこの本体に設けられた把持部とから構成され、調理中の加熱鍋等から重量のある蓋を簡単に取り外すことができ、持ち上げた蓋をそのままの保持状態にて安定した縦置きの状態にすることができるように構成したため、重い鍋蓋等の取外し・取付けの作業が簡単であり、全体的な取扱いが容易でかつ作業負担が軽減され、使い勝手が良好でかつ便利であり、実用性が高い。
【図面の簡単な説明】
【００１８】
【図１】本発明に係る自立型蓋掴みの代表的な第１実施形態を示す斜視図である。
【図２】第１実施形態に係る自立型蓋掴みの第１の使用状態（蓋の取外し）を示す斜視図である。
【図３】第１実施形態に係る自立型蓋掴みの第２の使用状態（蓋の縦置き）を示す斜視図である。
【図４】第２の使用状態での縦断面図である。
【図５】第２の使用状態での水平断面図である。
【図６】本発明に係る自立型蓋掴みの第２実施形態を示す斜視図である。
【図７】第２実施形態に係る自立型蓋掴みの第１の使用状態（蓋の取外し）を示す斜視図である。
【図８】第２実施形態に係る自立型蓋掴みの第２の使用状態（蓋の縦置き）を示す斜視図である。
【図９】本発明に係る自立型蓋掴みの第３実施形態を示す斜視図である。
【発明を実施するための形態】
【００１９】
以下に、本発明の好適な実施形態（実施例）を添付図面に基づいて説明する。
【００２０】
図１〜図５を参照して本発明に係る自立型蓋掴みの代表的な第１実施形態を説明する。
【００２１】
自立型蓋掴み１０は本体１１と把持部１２から構成されている。本体１１は、好ましくは相対的に長い形状を有する矩形のプレート材を用いて形成されている。本体１１の材質には、好ましくは、例えば、プレート形状の木材、金属材、所要の剛性および耐熱性を有する樹脂材、耐熱性を有するガラス材等が使用される。プレート形状を有する本体１１の厚みは、後述するように、重量の有する鍋蓋等を取外し、持ち上げ、縦置きを行うことができるものであれば、任意である。
【００２２】
図１等に示した自立型蓋掴み１０の本体１１は、一例として、長方形の形状を有している。本体１１の一方の端部の辺部１１ａには一部を切り欠くことにより開口し、辺部１１ａから本体１１の中心部に向かう凹所部１１ａ−１が形成されている。凹所部１１ａ−１の辺部１１ａに対応する箇所には開口部が形成されている。従って、辺部１１ａは当該開口部を間に挟んで２つの部分に分かれている。後述するように、蓋の突起状の取っ手はこの開口部を通って凹所部１１ａ−１の中に入り込む。凹所部１１ａ−１の形状は、後述するように、加熱調理を行っている鍋の蓋を持ち上げて取り外す際に、当該蓋の取っ手（突起状の取っ手）に係り止め（係止）を行うことができる係止部としての形状を有すればよく、任意の凹所形状を選択することができる。従って、凹所部１１ａ−１の横幅および深さは、持ち上げようとする蓋の取っ手の形状や径に応じて任意に選択することができる。本体１１の他方の端部の辺部１１ｂは、一例として、全体として所要の長さを有する直線状の辺形状を有している。本体１１の辺部１１ｂの部分は、後述するように、鍋から取り外した蓋を縦置きしようする目的で自立型蓋掴み１０を自立させるときに、当該自立状態を保持するための脚部として機能する。すなわち、自立型蓋掴み１０を起立させて自立状態にするとき、本体１１の辺部１１ｂはテーブル面に接触した状態になる。自立型蓋掴み１０の自立状態では、本体１１の辺部１１ａは上辺の側となり、本体１１の辺部１１ｂは下辺の側となる。また本体１１において、凹所部１１ａ−１のほぼ底部の箇所と辺部１１ｂとの間の距離は、鍋の蓋の半径よりも大きな寸法に設定されている。
【００２３】
なお、自立型蓋掴み１０の本体１１の構造において、自立状態を保持するための脚部として機能する辺部１１ｂを含む部分の構造に関し、凹所部１１ａ−１のほぼ底部の箇所と辺部１１ｂとの間の距離を、鍋の蓋の大きさに応じて変更できるように、可変構造を設けるように構成することもできる。
【００２４】
図１等に示した自立型蓋掴み１０の把持部１２は、本体１１の背部（図１および図２中、上面側部分）のほぼ中央部に取り付けられており、把持しやすい棒状ハンドルを成す形状を有している。把持部１２の材質は、本体１１の材質と実質的に同一である。把持部１２は、通常的な蓋の取外しの使用状態において、調理者によって把持される。把持部１２は、自立型蓋掴み１０を起立させ自立状態に保持するとき、その端部１２ａがテーブル面に接触し、それ自体が脚部としての機能を有している。こうして、自立型蓋掴み１０が自立状態にされるとき、本体１１の辺部１１ａと把持部１２の端部１２ａがテーブル面に接触して起立の状態が作られ、これにより全体は自立され、把持部１２は脚部として自立状態の保持に寄与する。
【００２５】
図２を参照して、自立型蓋掴み１０の第１の使用状態、すなわち鍋の蓋の取外しについての使用状態を説明する。
【００２６】
鍋１３は、調理中の具材が中にあり、既に加熱調理を終わった状態であって、鍋全体が高い温度を有した状態にある。鍋１３には蓋１４が被せてある。蓋１４の上面にはほぼ中央位置に取っ手１４Ａが設けられている。この取っ手１４Ａは突起状の取っ手であり、上の端部に向かって径が拡大する突起形状を有し、くびれ部１４Ａ−１が形成されている。今、次の調理の段階に移るため、鍋１３の蓋１４を取り外す行為を行う。調理者は、手１５で自立型蓋掴み１０の把持部１２を持ち、本体１１をほぼ水平な状態に保持し、本体１１の凹所部１１ａ−１に蓋１４の突起状取っ手１４Ａのくびれ部１４Ａ−１が入り込んで係止されるように、本体１１を矢印１６のごとく移動させる。その後、本体１１の凹所部１１ａ−１によって取っ手１４Ａが係止された蓋１４を取外し、持ち上げ、調理台のテーブル面上に自立状態にて置く。この状態を図３〜図５に示す。
【００２７】
図３〜図５を参照して、自立型蓋掴み１０の第２の使用状態、すなわち鍋１３の蓋１４の縦置きについての使用状態を説明する。
【００２８】
図３に示すように、自立型蓋掴み１０は、本体１１と把持部１２とによって起立した縦置き状態を作り、自立した状態にされる。本体１１に対して把持部１２がその背面で支持し、自立状態の保持に寄与している。本体１１と把持部１２とは所要の角度が付けられているため、自立型蓋掴み１０の自立状態において、図４に示されるごとく、把持部１２はテーブル面１７上にてほぼ直立した状態になり、他方、本体１１は傾斜した状態に保持される。本体１１の辺部１１ａの凹所部１１ａ−１には、図４および図５に示されるように蓋１４の取っ手１４Ａが係止される。その結果、自立型蓋掴み１０が自立した状態では、蓋１４が本体１１の面に沿って配置され、ほぼ縦置きの状態に保持される。
【００２９】
こうして、自立型蓋掴み１０によって鍋１３から取り外された蓋１４は、自立型蓋掴み１０により係止されたままの状態で、図３に示されるようにその自立状態に基づいて縦置きされる。蓋１４の突起状の取っ手１４Ａは、自立型蓋掴み１０の本体１１の凹所部１１ａ−１に確実に係止されているため、自立型蓋掴み１０から落下することはなく、安全に縦置きされる。こうして、蓋１４を取り外すための自立型蓋掴み１０をそのまま利用して、蓋１４を適宜な場所に立てたまま置くことができる。
【００３０】
鍋１３の蓋１４を取り外しかつ縦置きした後、鍋１３内の具材に対して所要の調理を行い、その後、再び蓋１４を鍋１３に取り付ける場合、縦置き状態にある自立型蓋掴み１０を持って蓋１４を移動させ、そのまま鍋１３に蓋１４を被せることができる。
【００３１】
上記の第１実施形態に係る自立型蓋掴み１０を用いれば、蓋１４が軽い場合または重い場合であっても、鍋１３から蓋１４の取外しおよび移動、蓋１４の一時的な仮置き、および鍋１３への蓋１４の再度の取付けの作業を容易に行うことができ、全体的に容易に取り扱うことができ、作業負担が軽減される。特に、女性や高齢者等にとって扱いやすい道具になっている。また蓋１４の取外し・取付け、蓋１４の縦置きを１つの道具である自立型蓋掴み１０によって行うことができるため、使い勝手が良好であり、かつ便利である。
【００３２】
図６〜図８を参照して本発明に係る自立型蓋掴みの第２実施形態を説明する。
【００３３】
第２実施形態に係る自立型蓋掴み２０は、図７に示すような鍋２１の蓋２２を取り外すときに適した形状を有している。すなわち、鍋２１の蓋２２の取っ手２２Ａが、円弧状、円以外の弧状、またはそれに類似した湾曲形状を有しており、そのため蓋２２の中央部と取っ手２２Ａとの間に開口部２３が形成されている。自立型蓋掴み２０の形状は、かかる取っ手２２Ａを備えた蓋２２に適するように作られている。図６は図１と同様な図であり、自立型蓋掴み２０について、第１実施形態で説明した同一の要素には同一の符号を付している。
【００３４】
自立型蓋掴み２０は、本体２４と把持部１２とから構成されている。把持部１２については第１実施形態で説明したものと同じである。本体２４では、蓋２２の取っ手２２Ａの形状に応じて、当該取っ手２２Ａに係止される係止部として、一方の端部の縁に突起部２４ａが形成されている。本体２４の他方の端部の辺部２４ｂは、第１実施形態の場合と同じであり、自立型蓋掴み２０が自立するように使用されるとき、脚部として機能する。本体２４に関するその他の形状や材質は、第１実施形態の場合と同じである。また把持部１２については、第１実施形態に係る自立型蓋掴み１０の把持部の構造および機能と同じであるので、同一の符号を付し、詳しい説明を省略する。
【００３５】
鍋２１の蓋２２を取り外すときには、図７に示すように、ほぼ水平姿勢で自立型蓋掴み２０を矢印１６の方向に移動し、自立型蓋掴み２０の本体２４の突起部２４ａを蓋２２の取っ手２２Ａが形成する開口部２３に挿入して持ち上げる。本体２４の先端の突起部２４ａを取っ手２２Ａの開口部２３に差し入れるだけであるので、簡単な作業で重量の大きな蓋２２を持ち上げることができる。鍋２１から取り外した蓋２２は、自立型蓋掴み２０を利用して、図８に示すように縦置きすることができる。こうして、取り外すための自立型蓋掴み２０を利用して、取り外した蓋２２の縦置きを行うことができる。
【００３６】
図９を参照して本発明に係る自立型蓋掴みの第３実施形態を説明する。
【００３７】
第３実施形態に係る自立型蓋掴みは、第１および第２の実施形態に係る自立型蓋掴み１０，２０の各特徴的構成を組み合わせて構成される。すなわち、第３実施形態に係る自立型蓋掴み３０は、本体３１と把持部３２を備えている。把持部３２の形状は、側方から見て好ましくはほぼ対称的な形状を有する。把持部３２の左右の端部３２ａは、第１および第２の実施形態で説明した把持部の端部と同様の機能を有している。
【００３８】
本体３１の形状は、全体として前述した通りのほぼ長方形のプレート形状を有し、かつ一方の端部をなす辺部３１ａの中央箇所には凹所部３１ａ−１が形成されており、他方の端部をなす辺部の中央箇所には突起部３１ｂが形成されている。凹所部３１ａ−１は第１実施形態で説明した凹所部１１ａ−１と実質的に同じ形状および機能を有し、突起部３１ｂは第２実施形態で説明した突起部２４ａと実質的に同じ形状および機能を有している。従って、凹所部３１ａ−１は、突起状の取っ手を有する蓋の取外し・縦置き・取付けの場合に係止部として利用され、突起部３１ｂはほぼ円弧状等の取っ手を有する蓋の取外し・縦置き・取付け等の場合に係止部として利用される。そして、凹所部３１ａ−１を係止部として利用するときには、反対側端部に位置する突起部３１ｂは縦置き時の脚部として機能し、突起部３１ｂを係止部として利用するときには、反対側端部に位置する凹所部３１ａ−１側の辺部３１ａは縦置き時の脚部として機能する。なお、突起部３１ｂが脚部として有効に機能するためには、必要な幅寸法を有するように形成されるか、または補助的な支持部材を付加することが好ましい。
【００３９】
把持部３２はほぼＴ字状の形状を有し、凹所部３１ａ−１が係止部となる縦置き状態、または突起部３１ｂが係止部となる縦置き状態のいずれの場合にも、その両端部３２ａのそれぞれは自立型蓋掴み３０の自立状態の保持に寄与する脚部として機能する。
【００４０】
上記した第３実施形態に係る自立型蓋掴み３０によれば、鍋の蓋の取っ手が突起状であっても、またはほぼ円弧状等であっても、使用する係止部として凹所部３１ａ−１または突起部３１ｂのいずれかを選択するだけで対処することができ、非常に便利である。
【００４１】
本発明に係る自立型蓋掴みは次のように変更することが可能である。
【００４２】
本体の端部に形成される凹所部または突起部などの係止部の部分を、本体に対して着脱自在に設けられる構造として作ることができる。このような着脱構造によれば、蓋の取っ手の形または大きさに応じて係止部を任意に変更することができる。
【００４３】
縦置き時に脚部として機能する本体の端部の箇所に、本体だけでも自立可能となるような自立支持部の形状または構造を設けることができる。さらに当該自立支持部を本体の端部に対して着脱自在な構造にすることもできる。
【００４４】
蓋の縦置き状態では、蓋の内面に付着した多量の水分がテーブル面にたれる可能性があるので、脚部として機能している本体の部分に水分を受ける皿状部材を付設することも可能である。
【００４５】
以上の実施形態で説明された構成、形状、大きさおよび配置関係については本発明が理解・実施できる程度に概略的に示したものにすぎず、また各構成の組成（材質）等については例示にすぎない。従って本発明は、説明された実施形態に限定されるものではなく、特許請求の範囲に示される技術的思想の範囲を逸脱しない限り様々な形態に変更することができる。
【産業上の利用可能性】
【００４６】
本発明に係る自立型蓋掴みは、調理時に重量のある鍋の蓋等を取り外して近くに置くときに、容易な蓋の取外しを行えると共に、取り外した蓋をそのままの保持した状態で安定した縦置き状態にて自立させることができ、鍋調理等に利用される。
【符号の説明】
【００４７】
１０              自立型蓋掴み
１１ａ            辺部
１１ａ−１        凹所部
１１ｂ            辺部
１２              把持部
１３              鍋
１４              蓋
１４Ａ            取っ手
１４Ａ−１        くびれ部
１５              手
１６              矢印
１７              テーブル面
２０              自立型蓋掴み
２１              鍋
２２              蓋
２２Ａ            取っ手
２３              開口部
２４              本体
２４ａ            突起部
２４ｂ            辺部
３０              自立型蓋掴み
３１              本体
３１ａ            辺部
３１ａ−１        凹所部
３１ｂ            突起部
３２              把持部
【要約】
【課題】調理の際、重い鍋蓋等の取外し・取付けの作業が簡単となり、取扱いが容易でかつ作業負担が軽減され、取り外した蓋の縦置きに利用できる自立型蓋掴みを提供する。
【解決手段】自立型蓋掴みは、蓋１４の取っ手１４Ａに係止可能な凹所部１１ａ−１と自立時に自立状態を保持するための脚部（辺部１１ｂ）とを有する本体１１と、本体１１の背部に設けられかつ自立時に自立状態の保持に寄与する脚部（端部１２ａ）として機能する把持部１２と、によって構成される。
【選択図】図１【図１】
0005906353.tif 000002
【図２】
0005906353.tif 000003
【図３】
0005906353.tif 000004
【図４】
0005906353.tif 000005
【図５】
0005906353.tif 000006
【図６】
0005906353.tif 000007
【図７】
0005906353.tif 000008
【図８】
0005906353.tif 000009
【図９】
0005906353.tif 000010